(57)【要約】【課題】  本発明はバッグや収納箱等の任意の収納空間内に収納部を増設するとともに、取り出す際に収納部を手元まで引き寄せ取り出すことで、鞄内に手を入れて探ることなく容易に収納物を出し入れできる収納具を得るにある。【解決手段】  ベース体と、このベース体の片面あるいは両面の縦方向あるいは横方向に設けられた複数個のベースベルトと、前記ベース体に移動可能に取付けられた前面に収納部を有する複数個の可動収納部材と、この可動収納部材の背面に該可動収納部材を前記ベース体より吊り上げ維持できるとともに、該ベース体上に左右前後方向に遊びをもたせ引き上げることができる横方向あるいは縦方向に設けられた可動体ベルトと、前記ベース体を収納するバッグあるいは該ベース体をベッド、机、テーブル等の使用高さ位置に固定する立設支持部材とから構成されていることを特徴とする収納具を提供することを目的としている。【選択図】  図２０
2007098159.tif 000002
【特許請求の範囲】
【請求項１】
ベース体と、このベース体の片面あるいは両面の縦方向あるいは横方向に設けられた複数個のベースベルトと、前記ベース体に移動可能に取付けられた前面に収納部を有する複数個の可動収納部材と、この可動収納部材の背面に該可動収納部材を前記ベース体より吊り上げ維持できるとともに、該ベース体上に左右前後方向に遊びをもたせ引き上げることができる横方向あるいは縦方向に設けられた可動体ベルトと、前記ベース体を収納するバッグあるいは該ベース体をベッド、机、テーブル等の使用高さ位置に固定する立設支持部材とから構成されていることを特徴とする収納具。
【請求項２】
ベース体の背面には着脱部材が複数個取付けられていることを特徴とする請求項１記載の収納具。
【請求項３】
上部が開口した箱状のケース体と、このケース体を設けられた複数個の仕切り板と、この複数個の仕切り板の上面横方向に設けられた複数個のベースベルトと、前記仕切り板のいずれかの面に移動可能に取付けられた前面に収納部を有する複数個の可動収納部材と、この複数個の可動収納部材の背面に該可動収納部材を前記仕切り板に対して左右前後方向に遊びをもたせて引き上げることができる縦方向に設けられた可動ベルトとからなることを特徴とする収納具。  
【発明の詳細な説明】
【技術分野】
【０００１】
本発明はバッグや収納箱等の任意の収納空間内に収納部を増設するとともに、取り出す際に収納部を手元まで引き寄せ取り出すことで、鞄内に手を入れて探ることなく容易に収納物を出し入れできる収納具に関するものである。
【背景技術】
【０００２】
従来、バッグの中の収納は、内側面や中仕切りに設けられたポケット、またはケース状やポーチ状の仕分け収納具によって行なわれていた。
また、任意の鞄内に使用する中仕切りとして、特許文献１にあるように鞄に収納可能なベース体に自由に収納部材を位置固定状態で取付けるものがあった。
【特許文献１】特開２０００−２３６９２９
【発明の開示】
【発明が解決しようとする課題】
【０００３】
そのために、従来のバッグにおいては次のような問題があった。
限られた収納部に収納されない収納物は鞄内に積み重なる状態で収納されるため、その中から必要な収納物を取り出すことが困難であった。また、収納物が下に溜まり広がることで、鞄が変形してしまう恐れがあった。
【０００４】
特許文献１における技術に関しては、次のような問題があった。
鞄内に収納部を増やすとともに自由な位置に収納部を取付けられるが、使用時において収納部は固定されているため、鞄の中に手を入れて収納物を取り出さなければならず、確実かつ容易に対象の収納物を取り出すことは困難であった。
また、収納部が面ファスナー等で着脱可能であったとして、鞄内で横方向に取り外す作業が必要であり、鞄の大きさ形状による自由度により、これが困難な作業であった。
この際、収納物の確認が鞄に入れた状態ではできないため、確実に対象となる収納部を選択することができず、異なる収納部を取り外してしまう可能性が非常に高かった。これを解消するためには、全ての収納部が装着された状態で、一々仕切りベースを持ち上げて確認する必要性があった。
【課題を解決するための手段】
【０００５】
本発明はベース体と、このベース体の片面あるいは両面の縦方向あるいは横方向に設けられた複数個のベースベルトと、前記ベース体に移動可能に取付けられた前面に収納部を有する複数個の可動収納部材と、この可動収納部材の背面に該可動収納部材を前記ベース体より吊り上げ維持できるとともに、該ベース体上に左右前後方向に遊びをもたせ引き上げることができる横方向あるいは縦方向に設けられた可動体ベルトと、前記ベース体を収納するバッグあるいは該ベース体をベッド、机、テーブル等の使用高さ位置に固定する立設支持部材とから構成されていることを特徴とする収納具を提供することを目的としている。
【０００６】
本発明は上部が開口した箱状のケース体と、このケース体を設けられた複数個の仕切り板と、この複数個の仕切り板の上面横方向に設けられた複数個のベースベルトと、前記仕切り板のいずれかの面に移動可能に取付けられた前面に収納部を有する複数個の可動収納部材と、この複数個の可動収納部材の背面に該可動収納部材を前記仕切り板に対して左右前後方向に遊びをもたせて引き上げることができる縦方向に設けられた可動ベルトとからなることを特徴とする収納具を提供することを目的としている。
【発明の効果】
【０００７】
（１）とで構成されているので、収納部を増やせることにより、収納物の仕分けがよりしやすくなる。
これにより収納物が積み重なる状態を回避し、収納物の変形や破損を防止することができる。また、対象物を正確に取り出すことができるとともに、簡単に元の位置に戻すことができる。
ベース体より収納部を上に持ち上げることにより、簡単に収納物を確認し取り出すことができる。
ベッドやテーブル等の任意の固定物に着脱可能に固定する固定手段により、日常生活、勉強時、仕事時において身近に作業空間を利用することなく各種用具を収納できるとともに、容易に使用可能となった。
可動収納部材を持ち上げた状態で固定する一時固定手段を具備することで、片手で持ち上げ、その片手で収納物を取り出すことができるので、片手しか利用できない状況であっても、容易に上記効果を得ることができる。
【０００８】
（２）請求項２によって、ベース体を立設支持部材を備える収納具に取付けて使用することができる。
【０００９】
（３）請求項３は箱状の収納ケースの仕切板に取付けて使用することができ、収納ケースより容易に収納物を手元まで移動させて取り出すことができる。  
【発明を実施するための最良の形態】
【００１０】
以下、本発明の第一実施の形態について図1から図１７を用いて説明する。
本発明はベース体３と、可動収納部材２と、これらを移動可能に取付けるベルトを利用した連結手段とより構成されたものである。図においては、ベース体前面に３つの可動収納部材２を有した事例として説明する。
ベース体３について図２および図３を用いて説明する。
ベース体３の前面上部にはベースベルト9が３つ設けられている。各ベースベルト9は、前面に配置する可動収納部材の中央に当たる位置に設けられたものであり、左右短部を縫合や接着等の手段により固定されている。
各ベースベルト9の上位置には面ファスナー雄１１が設けられている。
また、前面下部には３つのスナップ雌14が設けられている。スナップ雌１４はベース体３の上部に設けられたベースベルト９から横方向にずれた位置となるように設けられている。
ベース体３の後面にはベース収納部8が設けられている。これは上辺を取り出し口となるように、その他周辺および中間を縫合や接着により任意の収納部を形成するように設けられたものである。
【００１１】
次に可動収納部材２について説明する。
図４は、収納部５ａを一つ有する縦長の可動収納部材２ａ、図５は上下に収納部５ｂ、ベース収納部５ｃを有する縦長の可動収納部材２ｂ、図６は上部左右に収納部５ｄ、収納部５ｅを有し、下部に収納部５ｆを有する幅のある可動収納部材２ｃ
があらわされている。
各可動収納部材２は可動ベース４の前面にそれぞれの収納部５が設けられており、各可動収納部材２の上部にはそれぞれ取っ手６が設けられている。
夜間や暗所での確認用に夜間視認手段として、蓄光部材７が利用されている。可動収納部材２ａにおいては、可動ベース４ａの収納部５ａの上露出位置に横方向に蓄光部材７ｂが設けられている。可動収納部材２ｂにおいては、収納部５ｂの上部表面に蓄光部材７ｃが設けられている。
【００１２】
また、図７に示すように取っ手６の上部に取っ手６を覆うように蓄光部材７ａが設けられている。
可動収納部材２の裏面について図８および図９を用いて説明すると、可動ベース４裏面に縦方向に可動体ベルト１０が設けられている。可動体ベルト１０は上端部を縫合や接着により固定された固定部１７となっている。下端にはスナップ雄１３ｂが可動ベース方向に設けられている。また、可動体ベルト１０のスナップ雄１３ｂ上部位置には面ファスナー雌１２が設けられている。
可動ベース４裏面の下部には、前記可動体ベルト１０の下端を着脱固定するための固定部材１６が設けられている。該固定部材１６には前記スナップ雄１３ｂと着脱するスナップ雌１３ａが設けられている。
可動ベース４裏面の下部の固定部材１６から横方向にずれた位置にはスナップ雄１３ａが設けられている。これは前記ベース体３のスナップ雌１４と着脱するものである。
本発明は以上の構成よりなる。
【００１３】
以下、その使い方に関して説明する。
本発明を使用するときは、利用目的に応じた可動収納部材２を選択し、ベース体３に装着する。
装着に関しては可動体ベルト１０の下部を固定部１７から外し、ベースベルト９に通したうえでスナップにより固定部１７に固定する、この際、図１０に示すように可動体ベルト１０の上部固定部１７で可動体ベルト１０がベースベルト９に吊持される。可動体ベルト１０およびベースベルト９は、吊持状態で可動ベース４とベース体３の上辺がほぼ同じ高さとなる位置に設けられるのが好ましい。
図１１に示すように、可動収納部材２を持ち上げるときは、取っ手を持って上方へ持ち上げるが、ベースベルト９の左右がベース体３に固定されているため、ベースベルト９がガイドの役割を果たす。
この際、ベースベルト９の可動体ベルト１０通過可能幅は可動体ベルト１０のベルト幅より広いため、図１２に示すように左右方向へ遊びをもって動かすことが可能となり、これにより利用者の状況に応じた各種体勢からでも容易に持ち上げたり、戻すことが可能となった。
この操作に関して、図１４ないし図１６を用いて側面状況からの補足説明をする。
通常のバッグ収納状態においては、可動体ベルト１０がベースベルト９に吊持されている。この際、ベース体３のスナップ雌１４と可動収納部材２のスナップ雄１３は離れた状態にあることが好ましいが、収納具１全体をバッグに入れる際や異なるバッグに移し替える際は、図１４に示すようにスナップ雌１４とスナップ雄１３を嵌めた状態にしておくことが好ましい。これにより、可動収納部材２はベース体３に安定固定された状態となり、移動、携帯作業により可動収納部材２が揺れるのを防ぎ、携帯性が向上する。
そして、バッグに入れる際にスナップを外すようにする。
持ち上げる際に関しては、前述したように左右の遊びがあるほかに、図１５に示すように可動体ベルト１０が若干の遊びが生じるような長さおよび素材からなっているために、前後方向への遊びも生じさせる。これにより、より様々な体勢からの操作に操作性を向上させることを実現した。
可動収納部材２を持ち上げ、収納部５から収納物を取り出す場合、片手で持ち上げた状態で取り出すことも可能であるが、図１６に示すように可動体ベルト１０の下部に設けられた面ファスナー雌１２をベース体３上部に設けられた面ファスナー雄１１に止着することで、可動収納部材２を持ち上げた状態で固定することが可能となる。これにより、片手であげて、その手を外しその片手で収納物を取り出すことも可能となった。
本発明を図１３に示すように、トートバッグ１８をはじめとする各種バッグに入れて上記各操作を行なうことで、バッグの収納性をはじめとし、取り出し操作の向上、バッグの保形性の向上など各種効果を得ることが可能となる。また、バッグに対する大きさであるが、図１３ないし図１７に示すように、バッグの収納幅に近似したものであることが望ましい。高さに関しては、図１７のように持ち上げた状態において、収納部内の収納物が確認できる位置まで持ち上がるものであることが好ましい。図１７においては、可動収納部材２の取っ手がトートバッグ１８から露出しているが、露出している必要性はなく、上部の容易に操作できる位置であればよい。
この際、バッグ内が利用位置や環境において暗くなっていても、前記各蓄光部材により容易に操作可能となる。  
夜間視認手段としては、この蓄光部材に限定されることはなく、ＬＥＤとその制御構造など、従来利用されている各種発光手段であれば、利用範囲において可能である。
また、収納物が各収納部に収納されるため、収納物の上に他の収納物がのり、形状の崩れ、損傷、破壊等の事態を回避することが実現した。
【００１４】
本発明において、可動収納部材２の収納部の形状や配置に関しては上記事例に限定されるものではなく、例えば、通院目的に限定したものとして、保険証や受診証、薬入れなど、通院に必要なものにあわせて各種収納部とすることで、通院時に非常に便利となる。その他にも、利用目的に応じた各種構成組み合わせが可能である。
面ファスナー、スナップ等で説明された各種着脱固定手段や係止手段は、上記事例に限定されず、従来利用される同様の効果を得るものであればよい。
また、ベース体３前面に可動収納部材を配置する必要性はなく、図１８に示すように可動収納部材２と固定収納部１５を組み合わせることも可能である。
また、これら可動収納部材２を利用した各種機構部はベース体３の一面だけではなく、両面に利用することも可能である。
あわせて、図１９に示すようにベース体３に持ち手１９を設けることで、単独利用や、バッグ間を移動する際に非常に便利となる。
【００１５】
バッグに入れる他に、バッグに直接本発明の可動収納部材２を利用することも可能である。これを示したのが、図２０および図２１である。
本事例においては、トートバッグ１８の表面に可動収納部材２を利用できるようになっている。図２０において、表面の左側にはベースベルト９が設けられ、その上部に面ファスナー雄１１が設けられている。また、ベースベルト９の下のずれた位置にはスナップ雄１３が設けられている。
そして、右側には同様の機構と収納部１５が設けられている。
これに前記実施例であげた可動収納部材を利用することで、図２１に示すようにバッグ自体に応用することも可能である。この他にも、バッグ内面に同様の機構を設けたり、ベース体３をバッグの中仕切りとして固定的に取付けることも可能である。
【００１６】
以下、本発明の第二実施の形態について図２２から図２３を用いて説明する。
本事例においては、ベース体３の表面には前記各実施例で記載された可動収納部材２を利用した機構よりなるものであり、これをベッドのフェンスとして利用されているフレームに着脱固定できるようにすることにより、ベッド利用者や看護者の利便性を向上させるものである。
ベース体３の裏面左右にはベースベルト９ｂが設けられている。このベースベルト９は上端部が固定部１７に設けられており、下端にはベース体方向にスナップ雄１３が設けられている。ベース体３の下部には、これらベースベルト９ｂに着脱する固定部材１６が設けられており、固定部材１６の表面には前記スナップ雄１３に着脱するスナップ雌１４が設けられている。  
これを使用するときはベースベルト９ｂをフェンスフレーム２１に巻きつけて固定し、ベッドに本発明の収納具１を取付ける。
取付けた状態においては、図２３に示すようにフェンス上部に可動収納部材２の取っ手が露出しているためベッド利用者がフェンス外に体を乗り出すことなく収納物を取り出すことが可能となった。
また、収納部に各種看護時に必要なものを収納することで、看護者が交代しても、各種必要品が可視できる状態となっているため、探し出したり、伝達する手間暇を削減することができる。
【００１７】
以下、本発明の第三実施の形態について図２４から図２７を用いて説明する。
本発明の事例は、テーブルや机の側面に配置して使用できるようにしたものである。
本発明は収納具本体とこれを固定する固定部材とにより構成されている。固定部材としては任意の厚さの方形状のケース体２２であり、側面から板体を挿入可能なケース収納部２４が形成されている。  
ケース体２２の上面にはテーブルや机の天板裏面に安定固定するための両面テープが設けられている。
収納具本体はベース体３の表面には前記各実施例で記載された可動収納部材２を利用した機構よりなるものであり、ベース体３の裏面には前記ケース体２２に着脱固定するための着脱機構が設けられている。  
着脱機構としては前記ケース収納部２４に近似した大きさ形状で挿入可能な差込片２５が利用されている。ベース体３への固定としては、可撓性のシート状の連結体２６が利用され、下半分がベース体に接着され、上半分が前記差込片２５の下面に接着固定されている。
本発明は以上の構成よりなる。
これを使用するときは、使用するテーブルや机の天板裏面の側辺付近にケース収納部２４の開口部が側辺を向くように両面テープ２３で固定する。
収納具１は不使用時は差込片２５が折りたたまれた状態となっているが、装着時は差込片２５を図２５に示すようにケース収納部２４に差し込む。差し込みに当たっては図１９に示すように、天板側面がベース体３の上部に当たり、ベース体３が自重ならびに天板２８の支持により垂直となるようにする。
ベース体３に対し、連結体２６の取付け位置としては、図２５ないし図２７に示すように可動収納部材２の取っ手が天板上部に露出するか、天板近くにくるようにする。
【００１８】
以下、本発明の第四実施の形態について図２８から図３６を用いて説明する。
本発明は図に示される事例においては、立設支持部材と３２と、該立設支持部材３２に対して上下高さをスライドにより変動できる可動部材３１と、該可動部材３１を任意高さ位置で前記立設支持部材３２に固定できるストッパー３４と、前記可動部材３１に取付けられる収納具１とより構成される。
立設支持部材３２は図２８および図３４に示されるように左右に管状の支持ポール３５が配置されており、支持ポール間には横フレーム３９が設けられている。図においてはねじれを防止するために上段横ポール３９ａ、中段横ポール３９ｂ、下段横ポール３９ｃが設けられている。
左右支持ポール３５の下端には、図３４に示すように前後方向となるように脚フレーム４０がそれぞれ設けられており、脚フレーム４０の前後端部下面には移動用のキャスター３６が設けられている。
また、左右支持ポール３５の上部には前後方向に貫通した調整孔３８ｂが一つずつ設けられている。  
可動部材３１は着脱ベース３７の左右にそれぞれスライドポール３３の上部が固定されたものである。着脱ベース３７は収納具１を位置調整可能に着脱固定するものであり、本事例においてはネット状となっている。また、スライドポール３３は前記支持ポール内を上下に移動する形状のものであり、支持ポール位置に合わせて左右に配置されている。それぞれのスライドポール３３の下部には定間隔で前後に突き抜ける調整孔３８ａが設けられている。
ストッパー３４は支持ポール３５およびスライドポール３３に設けられたそれぞれの調整孔３８の径に合わせた形状で後部にまで届く長さの挿入部材と、挿入部材の一端部に設けられたヘッド部により構成されたものである。
収納具１はベース体３と、可動収納部材２と、前記可動部材３１に対して着脱固定および位置調整可能となる着脱部材とよりなり、ベース体３の背面の左右上下にそれぞれ着脱部材４１が設けられている。
着脱部材４１は、図３２に示すようにベース体に固定される基部と基部の表面に前記着脱ベース３７のネット上部に嵌合する形状のクリップ部により構成されたものである。
収納具のその他構成に関しては、前述した各種利用可能構成よりなる。
本発明は以上の構成よりなる。
以下、使用方法について説明する。
本発明を使用するときは、キャスターを利用してベッドの横やテーブルの横などに移動し、ストッパーで固定する。  
次にストッパー３４を抜き、利用に適した高さとなる位置付近で支持ポールと可動ポールの調整孔を合わせ、ストッパーを貫通させて高さを固定する。
収納具１は、ベース体背面の着脱部材４１を利用して着脱ベース３７に固定する。この際、ベース体上端が着脱ベース３７の上端とほぼ同位置もしくは着脱ベース３７の上端より高い位置とする。必要に応じては、着脱部材の左右下部のみの利用で取付けることも可能である。
その他利用方法は、前記各実施形態と同様である。この事例により、収納具を固定する対象物がない場所での利用を可能とした。
【００１９】
以下、本発明の第五実施の形態について図３７を用いて説明する。
本発明は収納体４３と蓋４２から構成される。
収納体４３は、上面が開口した箱状形態のケース体４４と、該ケース体４４に平行に設けられた複数の仕切り板４６と、可動収納部材２と、背板４５および任意の仕切り板４６に対して可動収納部材２を移動可能に取付けるベルトを利用した連結手段とより構成されたものである。
可動収納部材２と連結手段に関しては前記各実施の形態でベース体と可動収納部材に用いられた構成および条件が利用される。
蓋４２は前記収納体４３に利用されるものであり、図３７においては上部から被せて覆う携帯のものとなっている。しかし、蓋はこの形状に限定されるものではなく、収納体に連結して、ファスナーなどで開閉する形態のものなど、従来利用され本発明の目的を利用できる範囲で機能する蓋であればよい。
本発明は以上の形態よりなる。
以下、使用方法について説明する。
本発明を使用するときは、ケース体４４と仕切り板４６により構成される収納空間において、一つの収納空間に複数の収納物を収納したい収納空間を構成仕切り板４６あるいは背板４５に設けられたベースベルトを利用して、可動体ベルトを利用して可動収納部材２を取付ける。
これにより、単独で収納空間を使用できる収納物に関しては、縦方向に収納する。収納空間に複数の収納物を収納区分けが必要なものに関しては、該当する目的収納可動する可動収納部材を取付け、各収納部に対応した収納物を収納する。
目的となる収納物が収納部に収納されたものに関しては、該当する可動収納部材の取っ手を引上げることにより取り出すことが可能となる。
単独で収納空間に収納される収納物に関しては、その収納物を直接取り出す。
また、収納した状態で中長短期問わず収納保存するときは蓋４２をして、任意の場所に収納保管する。
【００２０】
以下、本発明の第六実施の形態について図３９および図４０を用いて説明する。
本発明は前記第五実施の形態の仕切り板４６をケース体４４から着脱可能としたものである。
ケース体４４の左右内壁の対向する位置にガイド溝４７が縦方向に設けられている。仕切りとなるベース体３の幅および厚さは、ガイド溝４７に合わせてできるだけぐらつかないサイズとなっている、また、左右側面の上下位置にそれぞれ突起４８が設けられている。図３８において可動収納部材２を外した状態で記載されているが、その他基本構造は前記各実施形態の利用可能な取付け構造となっている。
各ガイド溝には、図３９に示すように上下に前記突起４８に対応した位置および大きさ形状に対応された窪みの嵌合部４９が設けられている。
本発明は以上の構造よりなる。
これを利用するときは、ケース体４４のガイド溝４７に利用目的に応じた間隔でベース体３を上部から挿入する。この際、図４０に示すようにベース体３の突起４８が嵌合部４９に嵌り固定が安定される。さらに、図示していないが、利用目的に応じて可動収納部材２を取付けて使用する。この際、利用目的に応じては、可動収納部材２を利用せず単なる仕切りとして利用することも可能である。
なお、図においてはベース体３が全てガイド溝４７を利用しているが、一部はケース体４４に一体に設けられたものであってもよい。
【００２１】
以下、本発明の第七実施の形態について図４１および図４２を用いて説明する。
本発明は蓋４２を有するケース体４４の背板４５内壁にベースベルトを取付け、前記各実施形態に示した利用可能な取付け構造が用いられる。蓋４２は可動収納部材２を収納した状態でスナップにより上部開口部を塞ぐように着脱できるようになっている。
本発明の収納部５はポケット形状ではなく、表面部材の下辺と左側辺で可動ベース４に接着や縫合により固定されたものである。この際、表面部材は収納を維持する範囲で撓む可撓性を有するものである。
また、ケース体４４の背面には両面テープや磁石シート等の任意の固定手段が設けられている。
本発明は以上の構造よりなる。
これを使用するときは、クローゼットや壁等の任意位置に固定手段により固定する。収納部５にはハンカチやティッシュ等の薄いものを収納する。通常、可動収納部材２はケース体４４に全体が収納され、蓋で開口部を塞ぐように蓋のスナップとケース体のスナップで固定する。これにより収納物を埃から保護できる。
取り出すときは取っ手６を利用して引き上げ、収納物を取り出す。
なお、蓋やケースの形状、可動収納部材２の数などは、これに限定されるものではない。
【産業上の利用可能性】
【００２２】
本発明は収納部へ物を出し入れ容易に収納する収納具を製造する産業で利用される。
【図面の簡単な説明】
【００２３】
【図１】本発明の斜視図。
【図２】本発明のベースの背面斜視図。
【図３】本発明のベースの正面斜視図。
【図４】本発明の可動収納部材の説明図。
【図５】本発明の可動収納部材の異なる説明図。
【図６】本発明の可動収納部材の異なる説明図。
【図７】本発明の取っ手の説明図。
【図８】本発明の可動収納部材の説明図。
【図９】本発明の可動収納部材の説明図。
【図１０】本発明の可動収納部材の収納状態の説明図。
【図１１】本発明の可動収納部材を引き出した状態の説明図。
【図１２】本発明の可動収納部材の使用説明図。
【図１３】本発明の使用状態図。
【図１４】本発明の可動収納部材の使用説明図。
【図１５】本発明の可動収納部材の使用説明図。
【図１６】本発明の可動収納部材の使用説明図。
【図１７】本発明の使用状態図。
【図１８】本発明のその他事例の斜視図。
【図１９】本発明のその他事例の分解説明図。
【図２０】本発明のその他事例の斜視図。
【図２１】本発明のその他事例の使用状態図。
【図２２】本発明の第二実施形態の説明図。
【図２３】本発明の第二実施形態の使用状態図。
【図２４】本発明の第三実施形態の分解図。
【図２５】本発明の第三実施形態の使用状態図。
【図２６】本発明の第三実施形態の使用断面図。
【図２７】本発明の第三実施形態の使用状態図。
【図２８】本発明の第四実施形態の使用状態図。
【図２９】本発明の第四実施形態の使用状態図。
【図３０】本発明の第四実施形態の説明図。
【図３１】本発明の第四実施形態の説明図。
【図３２】本発明の第四実施形態の機構説明図。
【図３３】本発明の第四実施形態の分解説明図。
【図３４】本発明の第四実施形態の分解説明図。
【図３５】本発明の第四実施形態の使用説明図。
【図３６】本発明の第四実施形態の使用説明図。
【図３７】本発明の第五実施形態の分解使用状態図。
【図３８】本発明の第六実施形態の分解使用状態図。
【図３９】本発明の第六実施形態の断面図。
【図４０】本発明の第六実施形態の断面図。
【図４１】本発明の第七実施形態の使用説明図。
【図４２】本発明の第七実施形態の要部説明図。
【符号の説明】
【００２４】
１：収納具、                                                ２：可動収納部材、
３：ベース体、                                ４：可動ベース、
５：収納部、                                                ６：取っ手、
７：蓄光部材、                                ８：ベース収納部、
９：ベースベルト、                                    １０：可動体ベルト、
１１：面ファスナー雄、                １２：面ファスナー雌、
１３：スナップ雄、                                    １４：スナップ雌、
１５：固定収納部、                                    １６：固定部材、
１７：固定部、                                １８：トートバッグ、
１９：持ち手、                                ２０：つまみ部、
２１：フェンスフレーム、                        ２２：ケース、
２３：両面テープ、                                    ２４：ケース収納部、
２５：差込片、                                ２６：連結体、
２７：机、                                        ２８：天板、
２９：脚、                                        ３０：携帯電話、
３１：可動部材、                            ３２：立設支持部材、
３３：スライドポール、                ３４：            ストッパー、
３５：支持ポール、                                    ３６：キャスター、
３７：着脱ベース、                                    ３８：調整孔、
３９：横フレーム、                                    ４０：脚フレーム、
４１：着脱部材、                            ４２：蓋、
４３：収納体、                                ４４：ケース体、
４５：背板、                                                ４６：仕切り板、
４７：ガイド溝、                            ４８：突起、
４９：嵌合部、                                ５０：ハンカチ。
【図１】
2007098159.tif 000003
【図２】
2007098159.tif 000004
【図３】
2007098159.tif 000005
【図４】
2007098159.tif 000006
【図５】
2007098159.tif 000007
【図６】
2007098159.tif 000008
【図７】
2007098159.tif 000009
【図８】
2007098159.tif 000010
【図９】
2007098159.tif 000011
【図１０】
2007098159.tif 000012
【図１１】
2007098159.tif 000013
【図１２】
2007098159.tif 000014
【図１３】
2007098159.tif 000015
【図１４】
2007098159.tif 000016
【図１５】
2007098159.tif 000017
【図１６】
2007098159.tif 000018
【図１７】
2007098159.tif 000019
【図１８】
2007098159.tif 000020
【図１９】
2007098159.tif 000021
【図２０】
2007098159.tif 000022
【図２１】
2007098159.tif 000023
【図２２】
2007098159.tif 000024
【図２３】
2007098159.tif 000025
【図２４】
2007098159.tif 000026
【図２５】
2007098159.tif 000027
【図２６】
2007098159.tif 000028
【図２７】
2007098159.tif 000029
【図２８】
2007098159.tif 000030
【図２９】
2007098159.tif 000031
【図３０】
2007098159.tif 000032
【図３１】
2007098159.tif 000033
【図３２】
2007098159.tif 000034
【図３３】
2007098159.tif 000035
【図３４】
2007098159.tif 000036
【図３５】
2007098159.tif 000037
【図３６】
2007098159.tif 000038
【図３７】
2007098159.tif 000039
【図３８】
2007098159.tif 000040
【図３９】
2007098159.tif 000041
【図４０】
2007098159.tif 000042
【図４１】
2007098159.tif 000043
【図４２】
2007098159.tif 000044